【事件の表示】
　平成１１年特許願第２４２６６５号「固体撮像素子およびその駆動方法ならびにカメラシステム」拒絶査定不服審判事件〔平成１３年　３月１６日出願公開、特開２００１−　６９４０８〕について、次のとおり審決する。
【結　論】
　本件審判の請求は、成り立たない。
【理　由】
第１　経緯  
１．手続　
　本願は、平成１１年８月３０日の出願であって、手続の概要は以下のとおりである。
　
　拒絶理由通知　　　　　　　　：平成２０年１１月２６日（起案日）
　手続補正　　　　　　　　　　：平成２１年　１月２８日
　拒絶理由通知　　　　　　　　：平成２１年　４月　６日（起案日）
　手続補正　　　　　　　　　　：平成２１年　６月　１日
　拒絶査定　　　　　　　　　　：平成２１年　７月３１日（起案日）
　拒絶査定不服審判請求　　　　：平成２１年１０月２１日
　手続補正　　　　　　　　　　：平成２１年１０月２１日
　前置審査報告　　　　　　　　：平成２１年１２月　１日
　審尋　　　　　　　　　　　　：平成２３年　１月１３日（起案日）
　回答書　　　　　　　　　　　：平成２３年　４月　８日
　
２．査定
　原審での査定の理由は、概略、以下のとおりである。
　本願の各請求項に係る発明（平成２１年６月１日付け手続補正書による）は、下記刊行物に記載された発明および周知技術に基づいて当業者が容易に発明をすることができたものであるから、特許法第２９条第２項の規定により、特許を受けることができない。
　　　　　記　
刊行物１：特開平１−２０４５７９号公報
刊行物２：特開平４−　　　８８０号公報
刊行物３：特開平９−２００６２１号公報
　
第２　補正却下の決定 
　平成２１年１０月２１日付けの手続補正（以下、「本件補正」という。）について次のとおり決定する。 
　　
《結論》
　平成２１年１０月２１日付けの手続補正を却下する。
 　
《理由》 
１．本件補正の内容
　平成２１年１０月２１日付けの手続補正（以下「本件補正」という）は、本件補正前、平成２１年６月１日付け手続補正書により補正された特許請求の範囲についてする補正であり、補正前の請求項１ないし５を、補正後の請求項１ないし５とするものである。
　
特許請求の範囲（補正前）
　　【請求項１】　単位画素が行列状に配置されてなる画素部と、
　前記画素部に行単位で配線された複数行分の水平信号線と、
　前記複数行分の水平信号線に対して各々垂直選択トランジスタを介して共通に配線された複数の垂直信号線と、
　前記画素部の各画素を異なる複数行について行単位で選択するとともに、選択する複数行の各画素における信号電荷の蓄積時間を複数行の間で異ならせ、前記複数行分の水平信号線に各画素から出力された信号を、対応する前記垂直選択トランジスタを駆動することによって順次前記複数の垂直信号線に出力する複数系統の垂直駆動手段と、
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
　　【請求項２】　前記複数系統の垂直駆動手段は、前記複数行分の水平信号線の各々と前記複数の垂直信号線との間に接続された複数系統の垂直選択スイッチと、前記複数系統の垂直選択スイッチに対応して設けられ、垂直走査によって異なる行の垂直選択スイッチを順次駆動する複数の垂直走査回路とを有する
　請求項１記載の固体撮像素子。
　　【請求項３】　単位画素が行列状に配置されてなる画素部と、前記画素部に行単位で配線された複数行分の水平信号線と、前記複数行分の水平信号線に対して各々垂直選択トランジスタを介して共通に配線された複数の垂直信号線とを具備する固体撮像素子の駆動に当たって、
　前記画素部の各画素を異なる複数行について行単位で選択するとともに、選択する複数行の各画素における信号電荷の蓄積時間を複数行の間で異ならせ、この選択した複数行の各画素を、対応する前記垂直選択トランジスタを駆動することによって順次選択して各画素の信号を前記複数行分の水平信号線のうちの対応する水平信号線に出力し、
　前記複数行の各画素から水平信号線に出力された信号を、水平走査に同期して前記複数の垂直信号線を通して同時に導出する
　固体撮像素子の駆動方法。
　　【請求項４】　単位画素が行列状に配置されてなる画素部と、前記画素部に行単位で配線された複数行分の水平信号線と、前記複数行分の水平信号線に対して各々垂直選択トランジスタを介して共通に配線された複数の垂直信号線と、前記画素部の各画素を異なる複数行について行単位で選択するとともに、選択する複数行の各画素における信号電荷の蓄積時間を複数行の間で異ならせ、前記複数行分の水平信号線に各画素から出力された信号を、対応する前記垂直選択トランジスタを駆動することによって順次前記複数の垂直信号線に出力する複数系統の垂直駆動手段と、前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子を撮像デバイスとして用いたカメラシステム。
　　【請求項５】　前記固体撮像素子から出力される異なる複数行の信号を同時化する遅延手段と、前記遅延手段によって同時化された前記複数行の信号を演算す演算手段とを有する信号処理回路を備えた
　請求項４記載のカメラシステム。
　
特許請求の範囲（補正後）
　　【請求項１】　単位画素が行列状に配置されてなる画素部と、
　前記画素部に行単位で配線された複数行分の水平信号線と、
　前記複数行分の水平信号線に対して各々垂直選択トランジスタを介して共通に配線された複数の垂直信号線と、
　前記画素部の各画素を異なる複数行について行単位で選択するとともに、選択する複数行の各画素における信号電荷の蓄積時間を複数行の間で１水平走査期間を単位として異ならせ、前記複数行分の水平信号線に各画素から出力された信号を、対応する前記垂直選択トランジスタを駆動することによって順次前記複数の垂直信号線に出力する複数系統の垂直駆動手段と、
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
　　【請求項２】　前記複数系統の垂直駆動手段は、前記複数行分の水平信号線の各々と前記複数の垂直信号線との間に接続された複数系統の垂直選択スイッチと、前記複数系統の垂直選択スイッチに対応して設けられ、垂直走査によって異なる行の垂直選択スイッチを順次駆動する複数の垂直走査回路とを有する
　請求項１記載の固体撮像素子。
　　【請求項３】　単位画素が行列状に配置されてなる画素部と、前記画素部に行単位で配線された複数行分の水平信号線と、前記複数行分の水平信号線に対して各々垂直選択トランジスタを介して共通に配線された複数の垂直信号線とを具備する固体撮像素子の駆動に当たって、
　前記画素部の各画素を異なる複数行について行単位で選択するとともに、選択する複数行の各画素における信号電荷の蓄積時間を複数行の間で１水平走査期間を単位として異ならせ、この選択した複数行の各画素を、対応する前記垂直選択トランジスタを駆動することによって順次選択して各画素の信号を前記複数行分の水平信号線のうちの対応する水平信号線に出力し、
　前記複数行の各画素から水平信号線に出力された信号を、水平走査に同期して前記複数の垂直信号線を通して同時に導出する
　固体撮像素子の駆動方法。
　　【請求項４】　単位画素が行列状に配置されてなる画素部と、前記画素部に行単位で配線された複数行分の水平信号線と、前記複数行分の水平信号線に対して各々垂直選択トランジスタを介して共通に配線された複数の垂直信号線と、前記画素部の各画素を異なる複数行について行単位で選択するとともに、選択する複数行の各画素における信号電荷の蓄積時間を複数行の間で１水平走査期間を単位として異ならせ、前記複数行分の水平信号線に各画素から出力された信号を、対応する前記垂直選択トランジスタを駆動することによって順次前記複数の垂直信号線に出力する複数系統の垂直駆動手段と、前記複数系統の垂直駆動手段によって選択された複数行の各画素を順次選択する水平駆動手段とを備え、　前記複数系統の垂直駆動手段によって選択された異なる複数行の各画素の信号を前記水平駆動手段による選択によって前記複数の垂直信号線を通して同時に読み出す
　固体撮像素子を撮像デバイスとして用いたカメラシステム。
　　【請求項５】　前記固体撮像素子から出力される異なる複数行の信号を同時化する遅延手段と、前記遅延手段によって同時化された前記複数行の信号を演算す演算手段とを有する信号処理回路を備えた
　請求項４記載のカメラシステム。
　
上記補正は、まとめると
　補正前の請求項１ないし５の「信号電荷の蓄積時間を複数行の間で異ならせ」を「信号電荷の蓄積時間を複数行の間で１水平走査期間を単位として異ならせ」とする補正である。
　
２．補正の適合性
（１）補正の範囲（第１７条の２第３項）
　本件補正は、願書に最初に添付した明細書又は図面の記載に基づくものであるから、願書に最初に添付した明細書又は図面に記載した事項の範囲内においてする補正である。
　
（２）補正の目的（第１７条の２第４項第１号〜第４号）
　本件補正は「信号電荷の蓄積時間を複数行の間で異ならせ」る単位が格別規定されていなかったものを「信号電荷の蓄積時間を複数行の間で
１水平走査期間を単位として
　以上のことから、本件補正は、特許請求の範囲の減縮に該当する補正事項であると認められる。
　
（３）独立特許要件（第１７条の２第５項）
　本件補正は、上記のとおり、特許請求の範囲の減縮を目的として含むものである。そこで、本件補正後の請求項１に係る発明が、独立して特許を受けることができる発明であるか検討する。
　
ア．補正後の本願発明
 　
　本件補正後の請求項１に記載される発明（以下「本件補正発明」という）は、以下のとおりのものである。
　
【請求項１】
　単位画素が行列状に配置されてなる画素部と、
　前記画素部に行単位で配線された複数行分の水平信号線と、
　前記複数行分の水平信号線に対して各々垂直選択トランジスタを介して共通に配線された複数の垂直信号線と、
　前記画素部の各画素を異なる複数行について行単位で選択するとともに、選択する複数行の各画素における信号電荷の蓄積時間を複数行の間で１水平走査期間を単位として異ならせ、前記複数行分の水平信号線に各画素から出力された信号を、対応する前記垂直選択トランジスタを駆動することによって順次前記複数の垂直信号線に出力する複数系統の垂直駆動手段と、
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
 　
イ．刊行物１の記載
　
　原査定の拒絶の理由で引用された特開平１−２０４５７９号公報（以下「刊行物１」という）には、図面とともに、以下の事項が記載されている。
　
　産業上の利用分野
　本発明は、コントラスト比の大きい被写体を撮像するためのテレビカメラ装置に関する。
　従来の技術
　従来、この種のテレビカメラ装置ではコントラスト比の大きい被写体を撮像する時、明るい物体に感度を合わせると暗い物体が感度不足となり、暗い物体に感度を合わせると明るい物体が感度オーバーになり、コントラスト比の大きい被写体では適当な感度を設定することが困難であった。
　発明が解決しようとする課題
　上記従来のテレビカメラ装置において、感度を明・暗の中間に合わせても、光度差が著しく大きければ、どちらに対しても適正感度とは遠くなってしまう。また感度を切り換えて撮像していては、動画に対する追従ができないという問題があった。
　本発明はこのような従来の問題を解決するものであり、コントラストに対してダイナミックレンジの広いテレビカメラ装置を提供することを目的とするものである。
　課題を解決するための手段
　本発明は上記目的を達成するために、画素の電荷の読み出し線を二系統設け、両者共それぞれに感度可変機能を備えた、固体撮像素子を用いるようにしたものである。
ただし両者の感度は一方に従属していて、一方の感度を大きくすれば、他方は感度が小さくなるという性質を持っている。
　本発明は、この２つの信号を処理して、一つの信号を作るようにしたものである。
　作用
　本発明は上記のような構成により次のような作用を有する。すなわち、固体撮像素子の一方の出力からの信号読み出しのタイミングを可変にすることによって、両者の信号の蓄積時間を変化させることができる。それによって、一方の蓄積時間が長ければ、一方の蓄積時間は短くなるので、一個の固体撮像素子から感度の異なる二種類の信号を取り出すことができる。この２つの信号を処理して一つの信号を作る。したがって、本発明によれば、コントラスト比の大きな被写体を一台のテレビカメラで撮像できるという効果を有する。
　実施例
　第１図は本発明の一実施例の構成を示すものである。
　第１図に於いて、１１はＭＯＳ型固体撮像素子、１２、１３は垂直シフトレジスタ、１４は水平シフトレジスタ、１５は撮像面、１６はパルス発生器、１７、１８は信号処理回路、１９は出力バッファである。
　次に上記実施例の動作について説明する。
　今、インターレースの走査を考えて、垂直シフトレジスタ１２を垂直シフトレジスタ１３よりＮだけ進めておけば、垂直シフトレジスタ１２を介して撮像面からの出力信号（Ａ）の感度は通常の５２５−Ｎ／５２５倍となり、垂直シフトレジスタ１３を介して撮像面からの出力信号（Ｂ）の感度は通常のＮ／５２５倍となる。Ｎを５２５に対して十分小さくすれば、出力信号（Ａ）は感度が高く、出力信号（Ｂ）は感度が低くなる。これでコントラスト比の大きい被写体を撮像するとき、出力信号（Ａ）は暗い被写体に、出力信号（Ｂ）は明るい被写体に適当な感度とすることができる。この２つの信号を信号処理回路１７、１８で各各処理して１つの信号を作ることができる。
　第１図に示す一実施例に於いては、前記２つの信号を１／２倍して加算器２０で加算を行うものであってそれによって、コントラスト比の大きな被写体に対し、明るい部分と暗い部分、両者共にダイナミックレンジ内に納まる１つの信号を得ることができる。
　また、第２図に示す他の実施例に於いては、前記２つの信号をスイッチ回路２１でフレーム単位で切り換えるものであってそれによって、コントラスト比の大きな被写体に対し、明るい部分と暗い部分、両者共にダイナミックレンジ内に納まる１つの信号を得ることができる。
　発明の効果
　本発明は上記２つの実施例より明らかなように、コントラスト比の大きい被写体に対して、ダイナミックレンジを広くすることができるという効果を有する。
　
　そして、図１をみると、以下の構成を見て取ることができる。
　中央に撮像面（１５）を配置し、その左側には、垂直シフトレジスタ（１３）が配置され、垂直シフトレジスタ（１３）からの矢印が撮像面（１５）に向かって記載されている。さらに、垂直シフトレジスタ（１３）に対しては、右に配置されたパルス発生器からの矢印線が記載されている。また、撮像面の左側から信号処理回路２（１８）に向かう矢印線には（Ｂ）の符号が付されている。
　撮像面の右側には、上記した左側と同様に、垂直シフトレジスタ（１２）、垂直シフトレジスタ（１２）から撮像面（１５）に向かう矢印、パルス発生器（１６）から垂直シフトレジスタ（１２）に向かう矢印線、撮像面（１５）の右側から信号処理回路１（１７）に向かう矢印線（Ａ）が記載されている。
　さらに、撮像面の下には、水平シフトレジスタ（１４）が記載され、水平シフトレジスタ（１４）から撮像面（１５）に向かう矢印、パルス発生器（１６）から水平シフトレジスタ（１４）に向かう矢印線が記載されている。
　そして、垂直シフトレジスタ（１２）、（１３）、撮像面（１５）、水平シフトレジスタ（１４）を含むように破線で囲んだ部分には引き出し線が記載され１１の符号が付されている。
　
ウ．刊行物１に記載された発明 
（ア）「撮像面」について
　上記図１の記載、および、発明の詳細な説明の「１１はＭＯＳ型固体撮像素子」の記載からみて、撮像面（１５）は、「ＭＯＳ型固体撮像素子（１１）」を構成する一部である。
　そして、ＭＯＳ型固体撮像素子の構成の一部である撮像面には、単位画素が行列状に配置されていることは技術常識であるから、刊行物１のＭＯＳ型固体撮像素子は「単位画素が行列状に配置されている撮像面」を有しているということができる。
　
（イ）「水平方向の信号線」について
　矢印線（Ａ）、矢印線（Ｂ）は、「垂直シフトレジスタ１２を介して撮像面からの出力信号（Ａ）」、「垂直シフトレジスタ１３を介して撮像面からの出力信号（Ｂ）」がそれぞれ信号処理回路に出力されるための信号線であることは明らかである。
　そして、撮像面からの信号とは、上記（ア）で検討した、行列状に配置された単位画素それぞれが検出した信号であり、上記単位画素の総数だけ、信号が出力されるが、当該信号の出力タイミングは、列方向の出力タイミングは水平シフトレジスタが順次シフトしていくタイミングで、行方向のタイミングは垂直シフトレジスタが順次シフトしていくタイミングで決定され、そのタイミングで合致した画素位置の検出値が出力される（すなわち、水平シフトレジスタが列方向＜例えば、左から右＞にシフトしてｍ番目にあり、垂直シフトレジスタが行方向＜例えば、上から下＞にシフトしてｎ番目にあるとき、左上から数えて（ｍ、ｎ）番目の画素の検出値が、信号線（Ａ）または（Ｂ）に出力される）ものであることは明らかである。
　そして、各画素位置の信号が、垂直シフトレジスタのシフトによって選択されて、左右にある信号線（Ａ）、（Ｂ）に出力されることからみて、各画素位置の信号は、同じ行に配置された各画素の検出値が、同じ信号線を利用して信号線（Ａ）、または（Ｂ）に至るのが普通である。
　以上のことからみて、刊行物１発明のＭＯＳ型固体撮像素子は、「上記撮像面に配置された各画素が検出した検出値は、同じ行に配置された各画素の検出値が同じ信号線を利用して、信号線（Ａ）または信号線（Ｂ）に出力されている」ということができる。
　
（ウ）「信号線（Ａ）および信号線（Ｂ）」について
　上記（イ）で検討したとおり、刊行物１のＭＯＳ型固体撮像素子は「各画素位置の信号が、垂直シフトレジスタのシフトによって選択されて、左右にある信号線（Ａ）、（Ｂ）に出力される」ものであり、さらに「各画素位置の信号は、同じ行に配置された各画素の検出値が、同じ信号線を利用して信号線（Ａ）、または（Ｂ）に至る」ものであるということができる。
　すなわち、同じ行に配置された各画素の検出値は、同じ信号線を利用しているのであるから、画素の各行ごとに信号線（Ａ）または信号線（Ｂ）に画素の検出値を出力する信号線が配置されているということができる。そして、上記各行ごとに配置されている信号線を介して出力される検出値は、垂直シフトレジスタのシフトによって選択されて信号線（Ａ）または（Ｂ）に出力するように構成されているのであるから、刊行物１のＭＯＳ型固体撮像素子は「各行ごとに配置されている信号線を介して出力される検出値が選択的に出力されるように接続されている信号線（Ａ）、および信号線（Ｂ）」を有しているということができる。
　
（エ）「各画素位置の画素の検出値の出力タイミング」について
　信号線（Ａ）、信号線（Ｂ）に信号が出力されるタイミングについて、刊行物１には「　今、インターレースの走査を考えて、垂直シフトレジスタ１２を垂直シフトレジスタ１３よりＮだけ進めておけば、垂直シフトレジスタ１２を介して撮像面からの出力信号（Ａ）の感度は通常の５２５−Ｎ／５２５倍となり、垂直シフトレジスタ１３を介して撮像面からの出力信号（Ｂ）の感度は通常のＮ／５２５倍となる。Ｎを５２５に対して十分小さくすれば、出力信号（Ａ）は感度が高く、出力信号（Ｂ）は感度が低くなる。これでコントラスト比の大きい被写体を撮像するとき、出力信号（Ａ）は暗い被写体に、出力信号（Ｂ）は明るい被写体に適当な感度とすることができる。この２つの信号を信号処理回路１７、１８で各各処理して１つの信号を作ることができる。」と記載されている。
　刊行物１に記載された上記発明の実施例において、垂直シフトレジスタのシフトするタイミングの数は５２５回であって、上記５２５回のシフト期間が経過すると、最初のシフト位置に戻ってくるものであることは、上記の記載から明らかである。
　したがって、刊行物１のＭＯＳ型固体撮像素子は、撮像面の行（例えば、一番上の行）を選択し、水平方向（例えば、左から右）に一行分走査（水平走査）を行うと、次の行に（選択を）シフトし、次の行でも左から右に水平走査を行い、さらに次の行にシフトするというシフト動作（垂直走査）のタイミングが５２５回だけ繰り返し、上記５２５回のタイミングが経過すると再び一行目の水平走査に戻ることで、一画面分の画素の検出値を得るものであるから、一回の水平走査で一行分の（横方向の）各画素位置の画素の検出値が選択され、信号線（Ａ）または信号線（Ｂ）に上記（シフト動作によって）選択された行の各画素位置の画素の検出値が出力されるというものである。
　そして、信号線（Ａ）に信号が出力されるタイミングと、信号線（Ｂ）に信号が出力されるタイミングとは、「垂直シフトレジスタ１２を垂直シフトレジスタ１３よりＮだけ進めておけば」とあるから、信号線（Ａ）＜垂直シフトレジスタ（１２）で出力タイミングが制御される＞に所定の行の画素の検出値が選択され出力されているとき、信号線（Ｂ）＜垂直シフトレジスタ（１３）で出力タイミングが制御される＞には、上記所定の行よりもＮ行だけ遅れた行の画素の検出値が選択され出力されていることであるということができる。
　すなわち、所定の行と上記所定の行よりＮ行だけ遅れた行とが同時に選択され、所定の行の出力は信号線（Ａ）に、所定の行よりＮ行遅れた行の出力は信号線（Ｂ）に出力されている。
　上記複数の行のうちの、ある一つの行に注目して（以下「注目行」という）、信号がどのように出力されているか検討する。
　上記注目行において、信号線（Ａ）に信号が出力されるようにシフトレジスタ１２による出力タイミングが巡ってくると、当該行の画素の検出値は一度全て出力され、それまでに検出した検出値はリセットされる。その後タイミングＮが経過すると、今度は信号線（Ｂ）に信号が出力されるようにシフトレジスタ１３による出力タイミングが巡ってくるから、タイミングＮ回分の期間に蓄積した検出値を信号線（Ｂ）に出力する。それぞれのシフトレジスタ（１２、１３）は、５２５回分のシフト期間が経過すると、もとの行に戻ってくるのであるから、前回信号線（Ａ）に信号が出力されたタイミングから５２５回分のシフト期間が経過すると、再び信号線（Ａ）に信号が出力される。このとき画素の検出値は、前回信号線（Ａ）に画素の検出値を出力した後、さらに、Ｎ回分のシフト期間経過後の時点で信号線（Ｂ）に画素の検出値が出力されているから、（５２５−Ｎ）回分のシフト期間で蓄積された画素の検出値が出力されることとなる。以降はその繰り返しであるから、結局信号線（Ａ）には（５２５−Ｎ）回分のシフト期間でたまった画素の検出値が、信号線（Ｂ）にはＮ回分のシフト期間でたまった画素の検出値が出力されることが、５２５回分のシフト期間を単位として繰り返されているということができる。
　すなわち、５２５回のシフト期間のうち、Ｎ回分のシフト期間にたまった画素の検出値を信号線（Ｂ）に、（５２５−Ｎ）回分のシフト期間にたまった画素の検出値を信号線（Ａ）に出力している。
　以上まとめると、刊行物１発明のＭＯＳ型固体撮像素子は、
　「一回の水平走査で一行分の（横方向の）各画素位置の画素の検出値が選択され、信号線（Ａ）または信号線（Ｂ）に、（垂直方向のシフト動作によって）選択された行の各画素位置の画素の検出値が出力されるものであって、
　所定の行と上記所定の行よりＮ行だけ遅れた行とが同時に選択され、所定の行の出力は信号線（Ａ）に、所定の行よりＮ行遅れた行の出力は信号線（Ｂ）に出力され、
　５２５回分のシフト期間のうち、Ｎ回分のシフト期間にたまった画素の検出値を信号線（Ｂ）に、（５２５−Ｎ）回分のシフト期間にたまった画素の検出値を信号線（Ａ）に出力するものである」
　ということができる。
　
（オ）「水平シフトレジスタ」について
　上記（エ）で検討したとおり、刊行物１発明のＭＯＳ型固体撮像素子は、「一回の水平走査で一行分の（横方向の）各画素位置の画素の検出値が選択され、信号線（Ａ）または信号線（Ｂ）に（垂直方向のシフト動作によって）選択された行の各画素位置の画素の検出値が出力されるもの」であるが、上記一回の水平走査の間は、垂直シフトレジスタによるシフトが行われず、選択されている行の各画素の検出値を出力するために、水平シフトレジスタが、各画素位置を、水平方向（例えば左から右）にシフトすることにより選択し、選択した画素位置の画素の検出値を出力していることは明らかである。
　そして、刊行物１発明のＭＯＳ型固体撮像素子は「垂直シフトレジスタ」を二つ有し、一方の垂直シフトレジスタの選択により所定の行が、他方の垂直シフトレジスタの選択により所定の行からＮだけ遅れた行がそれぞれ選択され、選択された行の各画素位置の画素の検出値がそれぞれ、信号線（Ａ）、信号線（Ｂ）に出力されているということができる。
　したがって、刊行物１発明のＭＯＳ型固体撮像素子は、「二つの垂直シフトレジスタによって選択された二つの行（所定の行と、所定の行からＮだけ遅れた行）の各画素位置の画素の検出値を出力するため、各画素位置を水平方向（例えば左から右）にシフトすることにより選択し、選択した画素位置の画素の検出値を出力する水平シフトレジスタ」を備えているということができる。
　
（カ）「水平シフトレジスタの動作」について
　上記（オ）で検討したとおり、刊行物１発明のＭＯＳ型固体撮像素子は、「二つの垂直シフトレジスタによって選択された二つの行（所定の行と、所定の行からＮだけ遅れた行）の各画素位置の画素の検出値を出力するため、各画素位置を水平方向（例えば左から右）にシフトすることにより選択し、選択した画素位置の画素の検出値を出力する水平シフトレジスタ」を備えている引用発明の構成は、「二つの垂直シフトレジスタによって選択された二つの行（所定の行と、所定の行からＮだけ遅れた行）の各画素位置を、該水平シフトレジスタが水平方向（例えば左から右）にシフトすることにより選択し、選択した画素位置の画素の検出値を出力」していると言い換えることができる。
　上記出力された画素の検出値は、信号線（Ａ）、信号線（Ｂ）にそれぞれ出力されている。
　以上のことから、「二つの垂直シフトレジスタによって選択された二つの行（所定の行と、所定の行からＮだけ遅れた行）の各画素位置を、該水平シフトレジスタが水平方向（例えば左から右）にシフトすることにより選択し、選択した画素位置の画素の検出値を、信号線（Ａ）、信号線（Ｂ）にそれぞれ出力」しているということができる。
　
（キ）「ＭＯＳ型固体撮像素子」について
　刊行物１に記載された発明は「ＭＯＳ型固体撮像素子」に関するものである。
　
（ク）まとめ
　上記（ア）〜（キ）によれば、刊行物１に記載された発明（以下、「引用発明」という。）として、以下のとおりのものを認定することができる。
  　
単位画素が行列状に配置されている撮像面と
上記撮像面に配置された各画素が検出した検出値は、同じ行に配置された各画素の検出値が同じ信号線を利用して、信号線（Ａ）または信号線（Ｂ）に出力され、
各行ごとに配置されている信号線を介して出力される検出値が選択的に出力されるように接続されている信号線（Ａ）、および信号線（Ｂ）を有し、
一回の水平走査で一行分の（横方向の）各画素位置の画素の検出値が選択され、信号線（Ａ）または信号線（Ｂ）に、（垂直方向のシフト動作によって）選択された行の各画素位置の画素の検出値が出力されるものであって、
所定の行と上記所定の行よりＮ行だけ遅れた行とが同時に選択され、所定の行の出力は信号線（Ａ）に、所定の行よりＮ行遅れた行の出力は信号線（Ｂ）に出力され、
５２５回分のシフト期間のうち、Ｎ回分のシフト期間にたまった画素の検出値を信号線（Ｂ）に、（５２５−Ｎ）回分のシフト期間にたまった画素の検出値を信号線（Ａ）に出力するものであり、
二つの垂直シフトレジスタによって選択された二つの行（所定の行と、所定の行からＮだけ遅れた行）の各画素位置の画素の検出値を出力するため、各画素位置を水平方向（例えば左から右）にシフトすることにより選択し、選択した画素位置の画素の検出値を出力する水平シフトレジスタを備え、
二つの垂直シフトレジスタによって選択された二つの行（所定の行と、所定の行からＮだけ遅れた行）の各画素位置を、該水平シフトレジスタが水平方向（例えば左から右）にシフトすることにより選択し、選択した画素位置の画素の検出値を、信号線（Ａ）、信号線（Ｂ）にそれぞれ出力する、
ＭＯＳ型固体撮像素子。
　
エ．対比
　本件補正発明と引用発明とを対比する。
　
（ア）「単位画素が行列状に配置されてなる画素部」について
　引用発明は「単位画素が行列状に配置されている撮像面」を有しており、引用発明の撮像面には、単位画素が行列状に配置されているのであるから、これを画素部といってもよいことは明らかである。
　したがって、引用発明は「単位画素が行列状に配置されてなる画素部」を有しているといえる。
　
（イ）「前記画素部に行単位で配線された複数行分の水平信号線」について
　引用発明は「上記撮像面に配置された各画素が検出した検出値は、同じ行に配置された各画素の検出値が同じ信号線を利用して、信号線（Ａ）または信号線（Ｂ）に出力され」ている。
　同じ行に配置された各画素の検出値を信号線（Ａ）または信号線（Ｂ）に出力する信号線は、各画素位置から、横方向（すなわち水平方向）に信号を出力するものであることは明らかであるから、水平信号線といえる。
　また、同じ行に配置された各画素の検出値は同じ信号線を利用して、信号線（Ａ）、または、信号線（Ｂ）に至るのであるから、各画素から横方向に検出値を出力する信号線（水平信号線）は、垂直方向の画素の数だけあるといえる。垂直方向の画素の数だけということは、画素１行に対して１つということと同じであるから、水平信号線は１行に１つすなわち行単位で配置されているということができる。
　以上のことからみて、引用発明は、「画素部に行単位で配線された複数行分の水平信号線」を有していることは明らかである。
　
（ウ）「前記複数行分の水平信号線に対して各々垂直選択トランジスタを介して共通に配線された複数の垂直信号線」について
　引用発明は「各行ごとに配置されている信号線を介して出力される検出値が選択的に出力されるように接続されている信号線（Ａ）、および信号線（Ｂ）」を有している。
　各行ごとに配置されている信号線は、水平方向の信号線であるから、水平信号線といえること、および、水平信号線が行の数だけある（複数行分の水平信号線といえる）ことは上記（イ）で検討したとおりである。
　また、信号線（Ａ）、および信号線（Ｂ）はともに縦方向に信号を出力しているから、垂直信号線ということができる。
　そして、上記行の数だけある水平信号線を介して出力される検出値は、結局、選択的に信号線（Ａ）、または信号線（Ｂ）のいずれかに出力されるから、何らかの選択手段を用いて、各検出値が信号線（Ａ）または信号線（Ｂ）に選択的に出力できるようにされていることは明らかであり、また、信号線（Ａ）、信号線（Ｂ）は「行の数だけある水平信号線」に対して共通に配線されているということができる。
　以上のことから、引用発明は、「何らかの選択手段を用いて、出力される検出値が選択的に出力できるようにされ、前記複数行分の水平信号線に対して共通に配線された複数の垂直信号線」を有している点で、本件補正発明と相違がない。
　もっとも、「何らかの選択手段を用いて、出力される検出値が選択的に出力できるようにされ」る構成が、本件補正発明は「（水平信号線に対して）各々垂直選択トランジスタを介して」であるのに対し、引用発明ではそのようであるとはしていない点で相違する。
　
（エ）「前記画素部の各画素を異なる複数行について行単位で選択するとともに、選択する複数行の各画素における信号電荷の蓄積時間を複数行の間で１水平走査期間を単位として異ならせ、前記複数行分の水平信号線に各画素から出力された信号を、対応する前記垂直選択トランジスタを駆動することによって順次前記複数の垂直信号線に出力する複数系統の垂直駆動手段」について
（エ−１）前記画素部の各画素を異なる複数行について行単位で選択する
　引用発明は「一回の水平走査で一行分の（横方向の）各画素位置の画素の検出値が選択され、信号線（Ａ）または信号線（Ｂ）に、（垂直方向のシフト動作によって）選択された行の各画素位置の画素の検出値が出力されるもの」である。すなわち、（垂直シフトレジスタにより）垂直方向にシフトが一回行われて行が選択されると、当該選択された行の各画素位置の画素の検出値が一行分出力されるものといえるから、（垂直シフトレジスタにより）画素部の出力を行単位で選択しているということができる。
　引用発明において、「行の選択」とは、各行に配置された水平信号線を選択することであることは明らかである。
　また、上記「垂直方向にシフトが一回行われて行が選択されると、当該選択された行の各画素位置の画素の検出値が一行分出力される」の構成において、「一行分の画素の検出値を出力」するためには、（垂直シフトレジスタにより）一つの行（すなわち水平信号線）が選択されている期間内に、水平シフトレジスタが、当該行の水平方向に並ぶ各画素位置を、順次シフトすることにより選択し、選択された画素位置の画素の検出値を上記選択された水平信号線を介して出力していることは技術常識である。
　そして、上記（垂直シフトレジスタによる）行の選択により、信号線（Ａ）または信号線（Ｂ）にそれぞれ、検出値が出力されるが、信号線（Ａ）に出力される信号と、信号線（Ｂ）に出力される信号との関係は「所定の行と上記所定の行よりＮ行だけ遅れた行とが同時に選択され、所定の行の出力は信号線（Ａ）に、所定の行よりＮ行遅れた行の出力は信号線（Ｂ）に出力され」るような関係であるから、「所定の行（信号線（Ａ）に画素の検出値を出力する水平信号線）」と「所定の行よりＮ行遅れた行（信号線（Ｂ）に画素の検出値を出力する水平信号線）」が選択されている。すなわち、（垂直シフトレジスタにより）異なる二つの（複数の）行が選択されているといえる。
　以上のことから、引用発明は「（垂直シフトレジスタにより）前記画素部の出力を異なる複数行について行単位で選択する」構成を有しているといえる。
　もっとも、本件補正発明は「画素部の
各画素を
出力を
　
（エ−２）選択する複数行の各画素における信号電荷の蓄積時間を複数行の間で１水平走査期間を単位として異ならせ
　引用発明は「５２５回のシフト期間のうち、Ｎ回分のシフト期間にたまった画素の検出値を信号線（Ｂ）に、（５２５−Ｎ）回分のシフト期間にたまった画素の検出値を信号線（Ａ）に出力するもの」である。
　引用発明において、「「所定の行（信号線（Ａ）に画素の検出値を出力する水平信号線）」と「所定の行よりＮ行遅れた行（信号線（Ｂ）に画素の検出値を出力する水平信号線）」が選択されている」ことが「選択する複数行」の選択に対応することは、上記（エ−１）にて検討したとおりである。
　信号線（Ａ）に出力される画素の検出値と、信号線（Ｂ）に出力される画素の検出値とは、一方が（５２５−Ｎ）のシフト期間にたまった値で、他方がＮのシフト期間にたまった値と異なっている。上記５２５およびＮをカウントする最小の単位は、垂直シフトレジスタが一つの行を選択している期間であるから、上記「垂直シフトレジスタが一つの行を選択している期間」を最小の単位として、画素値の蓄積時間が異なっているといえる。
　そして、「（垂直シフトレジスタにより）一つの行（すなわち水平信号線）が選択されている期間内に、水平シフトレジスタが、当該行の水平方向に並ぶ各画素位置を、順次シフトすることにより選択し、選択された画素位置の画素の検出値を上記選択された水平信号線を介して出力している」ことは、上記（エ−１）にて検討したとおりであり、引用発明の「垂直シフトレジスタが一つの行を選択している期間」は、１水平走査期間ということができる。
　したがって、引用発明は、「（垂直シフトレジスタにより）選択する複数行（信号線（Ａ）に出力する行、信号線（Ｂ）に出力する行）の各画素における信号電荷の蓄積時間を複数行の間で１水平走査期間を単位として異ならせ」ているということができる。
　
（エ−３）前記複数行分の水平信号線に各画素から出力された信号を、対応する前記垂直選択トランジスタを駆動することによって順次前記複数の垂直信号線に出力する複数系統の垂直駆動手段
　引用発明において、「行の選択とは、各行に配置された水平信号線を選択することである」こと、および、「（垂直シフトレジスタにより）一つの行（すなわち水平信号線）が選択されている期間内に、水平シフトレジスタが、当該行の水平方向に並ぶ各画素位置を、順次シフトすることにより選択し、選択された画素位置の画素の検出値を上記選択された水平信号線を介して出力している」ことは、上記（エ−１）にて検討したとおりである。
　すなわち、一つの行（すなわち水平信号線）が選択されると、選択された水平信号線を介して、画素の検出値を出力しているといえる。
　引用発明は、「「所定の行（信号線（Ａ）に画素の検出値を出力する水平信号線）」と「所定の行よりＮ行遅れた行（信号線（Ｂ）に画素の検出値を出力する水平信号線）」が選択されている」のであるから、複数（二つの）行分の水平信号線を選択し、選択された水平信号線を介して画素の検出値を、それぞれ、（垂直信号線と呼ぶことができる）信号線（Ａ）、信号線（Ｂ）に出力しているということができる。すなわち、各画素の検出値は、複数（所定の行・所定の行よりＮ行遅れた行）行分の水平信号線に出力され、出力された画素の検出値は、対応する垂直信号線（信号線（Ａ）・信号線（Ｂ））に出力されているといえる。
　上記（所定および所定の行よりＮ行遅れた）行の選択は、二つの垂直シフトレジスタが順次（例えば上から下に）シフトしていくことにより、シフト位置に対応する何らかの選択手段を駆動することにより、順次選択する行を信号線（Ａ）・信号線（Ｂ）に接続することで、画素の検出値を信号線（Ａ）、信号線（Ｂ）に選択的に出力していることは、明らかであるから、「二つの垂直シフトレジスタ」は「複数系統の垂直駆動手段」ということができる。
　以上のことから、引用発明は、「複数（所定の行・所定の行よりＮ行遅れた行）行分の水平信号線に各画素の検出値が出力され、シフト位置に対応する何らかの選択手段を駆動することにより、順次選択する行の画素の検出値を信号線（Ａ）・信号線（Ｂ）に出力する複数系統の垂直駆動手段」を有しているということができる。
　引用発明の「信号線（Ａ）・信号線（Ｂ）」は複数の垂直信号線といってもよいことは、上記（ウ）にて検討したとおりである。
　また、引用発明の「複数（所定の行・所定の行よりＮ行遅れた行）行分の水平信号線に各画素の検出値が出力され」る、「画素の検出値」は、各画素から何らかの信号として出力されること（すなわち、各画素から出力された信号といいうること）は自明のことである。
　これらのことから、引用発明は「複数（所定の行・所定の行よりＮ行遅れた行）行分の水平信号線に各画素から出力された信号を、（シフト位置に）対応する何らかの選択手段を駆動することにより、順次複数の垂直信号線に出力する複数系統の垂直駆動手段」を有しているということができる点で本件補正発明と相違がない。
　もっとも、本件補正発明は、上記「何らかの選択手段を駆動することにより順次複数の垂直信号線に出力する」構成が、「垂直選択トランジスタを駆動することによって順次複数の垂直信号線に出力する」構成である点で相違する。
　
（エ−４）まとめ（（エ−１）ないし（エ−３））
　本件補正発明は
「ａ．前記画素部の各画素を異なる複数行について行単位で選択するとともに、
　ｂ．選択する複数行の各画素における信号電荷の蓄積時間を複数行の間で１水平走査期間を単位として異ならせ、
　ｃ．前記複数行分の水平信号線に各画素から出力された信号を、対応する前記垂直選択トランジスタを駆動することによって順次前記複数の垂直信号線に出力する
　ｄ．複数系統の垂直駆動手段」（ａ．ないしｄ．は便宜上当審において付記した。）
なる構成である。
　すなわち、ａ．ないしｃ．なる構成を有する「複数系統の垂直駆動手段」である。
　一方、引用発明は
「ａ’．（垂直シフトレジスタにより）前記画素部の出力を異なる複数行について行単位で選択し、
　ｂ’．（垂直シフトレジスタにより）選択する複数行（信号線（Ａ）に出力する行、信号線（Ｂ）に出力する行）の各画素における信号電荷の蓄積時間を複数行の間で１水平走査期間を単位として異ならせ、
　ｃ’．複数（所定の行・所定の行よりＮ行遅れた行）行分の水平信号線に各画素から出力された信号を、（シフト位置に）対応する何らかの選択手段を駆動することにより順次複数の垂直信号線に出力する、
　ｄ’．複数系統の垂直駆動手段」
　そして、引用発明の垂直シフトレジスタは、本件補正発明の垂直駆動手段に対応することは、上記（エ−３）で検討したとおりであるから、上記ａ’、ｂ’の「（垂直シフトレジスタにより）前記画素部の出力を異なる複数行について行単位で選択し」、「（垂直シフトレジスタにより）選択する複数行（信号線（Ａ）に出力する行、信号線（Ｂ）に出力する行）の各画素における信号電荷の蓄積時間を複数行の間で１水平走査期間を単位として異ならせ」は、それぞれ、「前記画素部の出力を異なる複数行について行単位で選択（する複数系統の垂直駆動手段）」、「選択する複数行（信号線（Ａ）に出力する行、信号線（Ｂ）に出力する行）の各画素における信号電荷の蓄積時間を複数行の間で１水平走査期間を単位として異ならせ（る複数系統の垂直駆動手段）」と言い換えることができるから、垂直駆動手段がａ’ないしｃ’なる構成を有する「複数系統の垂直駆動手段」である点で一致している。
　もっとも、上記ａないしｃとａ’ないしｃ’の、それぞれの対比において、
　本件補正発明は「画素部の
各画素を
出力を
　本件補正発明は「何らかの選択手段を駆動することにより順次複数の垂直信号線に出力する（複数系統の垂直駆動手段）」構成が、「垂直選択トランジスタを駆動することによって順次複数の垂直信号線に出力する（複数系統の垂直駆動手段）」であるのに対し、引用発明ではそのようであるとはしていない点、
　で相違する。
　
（オ）「前記複数系統の垂直駆動手段によって選択された複数行の各画素を順次選択する水平駆動手段とを備え」について
　引用発明は、「二つの垂直シフトレジスタによって選択された二つの行（所定の行と、所定の行からＮだけ遅れた行）の各画素位置の画素の検出値を出力するため、各画素位置を水平方向（例えば左から右）にシフトすることにより選択し、選択した画素位置の画素の検出値を出力する水平シフトレジスタを備え」ている。
　引用発明の「二つの垂直シフトレジスタ」は、本件補正発明の「複数系統の垂直駆動手段」に相当することは、上記（エ）にて検討したとおりである。
　そして、引用発明の水平シフトレジスタは、「（垂直シフトレジスタによって選択された二つの行の）各画素位置の画素の検出値を出力するため、各画素位置を、水平方向（例えば左から右）にシフトすることにより選択し、選択した画素位置の画素の検出値を出力する」のであるから、「（垂直シフトレジスタによって選択された二つの行の）各画素を順次選択する」と言い換えることができる。
　すなわち、水平シフトレジスタは「（垂直シフトレジスタによって選択された二つの行の）各画素を順次選択する」といえる。
　上記水平シフトレジスタが、各画素を順次選択する水平駆動手段ということができることは、当業者において周知の技術事項である。
　したがって、引用発明は、「前記複数系統の垂直駆動手段によって選択された複数行の各画素を順次選択する水平駆動手段とを備え」ている点で、本件補正発明と相違がない。
　
（カ）「前記複数系統の垂直駆動手段によって選択された異なる複数行の各画素の信号を前記水平駆動手段による選択によって前記複数の垂直信号線を通して同時に読み出す」について
　引用発明は「二つの垂直シフトレジスタによって選択された二つの行（所定の行と、所定の行からＮだけ遅れた行）の各画素位置を、該水平シフトレジスタが水平方向（例えば左から右）にシフトすることにより選択し、選択した画素位置の画素の検出値を、信号線（Ａ）、信号線（Ｂ）にそれぞれ出力する」構成である。
　引用発明の「二つの垂直シフトレジスタ」、「画素の検出値」、「水平シフトレジスタ」、「信号線（Ａ）、信号線（Ｂ）」が、本件補正発明の「複数系統の垂直駆動手段」、「各画素の信号」、「水平駆動手段」、「複数の垂直信号線」に対応することは、上記（エ）、（ウ）にて検討したとおりであるから、「前記複数系統の垂直駆動手段によって選択された異なる複数行の各画素位置を、水平駆動手段が選択し、選択した各画素の信号を、複数の垂直信号線にそれぞれ出力する」ということができる。
　引用発明の信号線（Ａ）、信号線（Ｂ）に出力された信号は、信号線（Ａ）、信号線（Ｂ）を通って、ＭＯＳ型固体撮像素子の外部にある信号処理回路１７、信号処理回路１８に送られているから、上記出力された信号は、ＭＯＳ型固体撮像素子から信号線（Ａ）、信号線（Ｂ）（すなわち、複数の垂直信号線）を通して、信号処理回路１７、信号処理回路１８に読み出されているということができ、「前記複数系統の垂直駆動手段によって選択された異なる複数行の各画素位置を、水平駆動手段が選択し、選択した各画素の信号を、複数の垂直信号線を通して、信号処理回路１７、信号処理回路１８に読み出す」ということができる。
　上記読み出しは、水平シフトレジスタが一つであることから、信号線（Ａ）に出力される水平駆動タイミングと、信号線（Ｂ）に出力される水平駆動タイミングとは同じであると考えるのが普通であり、したがって、垂直シフトレジスタ１２により選択された行を水平シフトレジスタによりシフトして出力され、信号処理回路１７に読み出される信号と、垂直シフトレジスタ１３により選択された行を水平シフトレジスタによりシフトして出力され、信号処理回路１８に読み出される信号とは同時に出力されていることは明らかである。
　以上のことから、引用発明は 「前記複数系統の垂直駆動手段によって選択された異なる複数行の各画素位置を、水平駆動手段が選択し、選択した各画素の信号を、複数の垂直信号線を通して同時に読み出す」ということができる。
　このことは、言い換えると「前記複数系統の垂直駆動手段によって選択された異なる複数行の各画素の信号は、水平駆動手段による各画素位置の選択によって、複数の垂直信号線を通して同時に読み出す」といえるから、「前記複数系統の垂直駆動手段によって選択された異なる複数行の各画素の信号を前記水平駆動手段による選択によって前記複数の垂直信号線を通して同時に読み出す」本件補正発明と相違がない。
　
（キ）「固体撮像素子」について
　引用発明の「ＭＯＳ型固体撮像素子」は「固体撮像素子」であるから、本件補正発明と相違がない。
　
オ．対比
一致点、相違点　
　
　以上の対比によれば、本件補正発明と引用発明とは、以下の一致点で一致し、相違点で相違する。
　
《一致点》
　単位画素が行列状に配置されてなる画素部と、
　前記画素部に行単位で配線された複数行分の水平信号線と、
　何らかの選択手段を用いて、出力される検出値が選択的に出力できるようにされ、前記複数行分の水平信号線に対して共通に配線された複数の垂直信号線と、
　前記画素部の
出力を
　選択する複数行の各画素における信号電荷の蓄積時間を複数行の間で１水平走査期間を単位として異ならせ、
　前記複数（所定の行・所定の行よりＮ行遅れた行）行分の水平信号線に各画素から出力された信号を、（シフト位置に）対応する
何らかの選択手段を駆動することにより
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
　
《相違点》
相違点１
　本件補正発明では「何らかの選択手段を用いて、出力される検出値が選択的に出力できるようにされ、前記複数行分の水平信号線に対して共通に配線された複数の垂直信号線」が、「前記複数行分の水平信号線
に対して各々垂直選択トランジスタを介して
　
相違点２
　本件補正発明では「画素部の
各画素を
出力を
　　
相違点３
　本件補正発明では「何らかの選択手段を駆動することにより順次複数の垂直信号線に出力する（複数系統の垂直駆動手段）」構成が、「垂直選択トランジスタを駆動することによって順次複数の垂直信号線に出力する（複数系統の垂直駆動手段）」であるのに対し、引用発明ではそのようであるとはしていない点。
　
カ．判断
　上記各相違点について検討する。
（ア）相違点１、相違点３について
　相違点１、相違点３は、引用発明においては「水平信号線それぞれを介して出力される検出値から、所望の水平信号線（行）の検出値を選択的に垂直信号線に出力するための選択手段」を格別特定していないのに対し、本願発明は上記「選択手段」を「前記複数行分の水平信号線に対して各々垂直選択トランジスタを介して共通に配線された複数の垂直信号線」と特定し、「前記垂直選択トランジスタを駆動することによって順次複数の垂直信号線に出力する」点で相違していることであるといえる。
　ところで、水平信号線それぞれを介して出力される検出値の一つを選択して垂直信号線に出力するため、「垂直駆動手段を駆動することにより、一つの水平信号線（行）を選択することとし、上記選択のための選択手段としてトランジスタを採用し、当該トランジスタを介して選択を行う構成」を採用することは、例えば下記の周知文献に記載されるとおり、本願出願前周知の技術事項であり、引用発明に接した当業者であれば、上記選択のために、「水平信号線に対して各々トランジスタを介して共通に配線された複数の垂直信号線」とし、「前記トランジスタを駆動することによって順次前記複数の垂直信号線に出力する」構成とすることは、容易に想起し得たことである。
　そして、そのような垂直駆動手段により、行（垂直方向に並ぶいずれかの信号線）を選択するトランジスタを「垂直選択トランジスタ」と称してもよいことは明らかであるから、
　引用発明の「何らかの選択手段を用いて、出力される検出値が選択的に出力できるようにされ、前記複数行分の水平信号線に対して共通に配線された複数の垂直信号線」、「対応する
何らかの選択手段を駆動すること
「前記複数行分の水平信号線に
対して各々垂直選択トランジスタを介して
前記垂直選択トランジスタを駆動すること
　
（イ）相違点２について
　引用発明では、画素部の出力を（異なる複数行について）行単位で選択することにより、選択された行の画素の検出値を出力している。ところで、行を選択して、選択された行を水平シフトレジスタで順次走査し、選択された行の各画素の画素値を順次出力する固体撮像素子において、選択された行の選択された画素位置を特定するため、垂直駆動手段により（選択された）行単位で各画素を選択し、上記行単位で選択された画素に対して、水平駆動手段による走査を行い、選択された行の選択された画素で検出された画素値を出力するようにすることは、下記の周知文献に記載されるとおり周知の技術事項であり、引用発明において、そのような構成を採用することに格別の困難性はない。
　
周知文献
特開平１−２０８９７４号公報（当該文献において下付き文字で記載されている部分は＜＞で囲って表記する）
　図４を用いて説明された従来例では、各画素（１＜１１＞・・１＜ｍｎ＞）から、まず信号を取り出すため、垂直走査回路の信号をトランジスタ（２１＜１１＞・・・２１＜ｍｎ＞）の駆動信号として用い、さらに、水平走査回路で駆動されたトランジスタ（２２＜１１＞・・・２２＜ｍｎ＞）から出力された信号が、水平信号線を介してトランジスタ（２３＜１＞・・・２３＜ｍ＞）に至り、トランジスタ（２３＜１＞・・・２３＜ｍ＞）は垂直走査回路の信号により駆動され、水平信号線から入力された信号を垂直信号線６に出力されるよう構成されている。
　
キ．効果
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
ク．まとめ（独立特許要件）
　以上によれば、本件補正発明は、刊行物１に記載された発明及び周知技術に基づいて当業者が容易に発明をすることができたものであるから、特許法第２９条第２項の規定により、特許出願の際独立して特許を受けることができない。
　
　したがって、本件補正は、平成１８年法律第５５号改正附則第３条第１項によりなお従前の例とされる同法による改正前の特許法第１７条の２第５項において準用する同法第１２６条第５項の規定に適合しない。
 　
（４）むすび
　以上のとおり、本件補正は、平成１８年法律第５５号改正附則第３条第１項によりなお従前の例とされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
第３　本願発明
　平成２１年１０月２１日付けの手続補正は上記のとおり却下されたので、本願の請求項１ないし５に係る発明は、平成２１年６月１日付け手続補正書により補正された特許請求の範囲の請求項１ないし５に係る発明のとおりであるところ、そのうち、請求項１に係る発明（以下「本願発明」という）は、平成２１年６月１日付け手続補正書により補正された特許請求の範囲の請求項１に記載された事項により特定される、以下のとおりのものである。
　
【請求項１】　単位画素が行列状に配置されてなる画素部と、
　前記画素部に行単位で配線された複数行分の水平信号線と、
　前記複数行分の水平信号線に対して各々垂直選択トランジスタを介して共通に配線された複数の垂直信号線と、
　前記画素部の各画素を異なる複数行について行単位で選択するとともに、選択する複数行の各画素における信号電荷の蓄積時間を複数行の間で異ならせ、前記複数行分の水平信号線に各画素から出力された信号を、対応する前記垂直選択トランジスタを駆動することによって順次前記複数の垂直信号線に出力する複数系統の垂直駆動手段と、
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
　
第４　査定の検討
１．刊行物に記載された発明
　刊行物１には、上記第２の２．（３）イ．の事項が記載されており、刊行物１に記載された発明として、上記第２の２．（３）ウ．（ク）の「引用発明」を認定することができる。
　
２．対比
　本願発明は、本件補正発明の「信号電荷の蓄積時間を複数行の間で
１水平走査期間を単位として
１水平走査期間を単位として
　したがって、本願発明と引用発明との対比は、上記「
１水平走査期間を単位として
　
３．一致点・相違点
　以上の対比によれば、本願発明と引用発明とは以下の一致点で一致し、相違点で相違する。
　
《一致点》
　単位画素が行列状に配置されてなる画素部と、
　前記画素部に行単位で配線された複数行分の水平信号線と、
　何らかの選択手段を用いて、出力される検出値が選択的に出力できるようにされ、前記複数行分の水平信号線に対して共通に配線された複数の垂直信号線と、
　前記画素部の
出力を
　選択する複数行の各画素における信号電荷の蓄積時間を複数行の間で異ならせ、
　前記複数（所定の行・所定の行よりＮ行遅れた行）行分の水平信号線に各画素から出力された信号を、（シフト位置に）対応する
何らかの選択手段を駆動することにより
　前記複数系統の垂直駆動手段によって選択された複数行の各画素を順次選択する水平駆動手段とを備え、
　前記複数系統の垂直駆動手段によって選択された異なる複数行の各画素の信号を前記水平駆動手段による選択によって前記複数の垂直信号線を通して同時に読み出す
　固体撮像素子。
　
《相違点》
相違点１
　本件補正発明では「何らかの選択手段を用いて、出力される検出値が選択的に出力できるようにされ、前記複数行分の水平信号線に対して共通に配線された複数の垂直信号線」が、「前記複数行分の水平信号線
に対して各々垂直選択トランジスタを介して
　
相違点２
　本件補正発明では「画素部の
各画素を
出力を
　　
相違点３
　本件補正発明では「何らかの選択手段を駆動することにより順次複数の垂直信号線に出力する（複数系統の垂直駆動手段）」構成が、「垂直選択トランジスタを駆動することによって順次複数の垂直信号線に出力する（複数系統の垂直駆動手段）」であるのに対し、引用発明ではそのようであるとはしていない点。
　
４．判断
　上記相違点についての判断は、前記第２の２．カ．と同様である。
　
５．効果
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
６．まとめ（査定の検討）
　したがって、本願発明は、刊行物１に記載された発明及び周知技術に基づいて当業者が容易に発明をすることができたものである。
　
第５　むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、本願は、残る請求項２ないし５に係る発明について検討するまでもなく、拒絶をすべきものである。
　よって、結論のとおり審決する。